【手続補正書】
【提出日】平成17年1月21日(2005.1.21)
【手続補正１】
【補正対象書類名】明細書
【補正対象項目名】特許請求の範囲
【補正方法】変更
【補正の内容】
【特許請求の範囲】
【請求項１】
有限回数データの書き換えが可能な記憶媒体を外部から装着可能な装着部と、
前記記憶媒体に対して信号の読み出し書き込みを制御する制御手段と、
前記制御手段が読み出した前記記憶媒体のフォーマット回数情報に基づいて所定の警告をする警告手段とを備えたことを特徴とする情報処理装置。
【請求項２】
有限回数データ書き換えが可能な記憶媒体と、
前記記憶媒体に対して信号の読み出し書き込みを制御する制御手段と、
前記制御手段が読み出した前記記憶媒体のフォーマット回数情報に基づいて所定の警告をする警告手段とを備えたことを特徴とする情報処理装置。
【請求項３】
前記所定の警告は視覚手段によって行われることを特徴とする請求項１または２に記載の情報処理装置。
【請求項４】
前記所定の警告は音声手段によって行われることを特徴とする請求項１または２に記載の情報処理装置。
【請求項５】
前記制御手段は前記記憶媒体に対して行われたフォーマット回数を検出し、この検出結果に基づいて前記警告手段は所定の警告をすることを特徴とする請求項１または２に記載の情報処理装置。
【請求項６】
前記所定の警告とは前記記憶媒体のフォーマットが不可能であるという視覚警告であることを特徴とする請求項１、２および５のいずれかに記載の情報処理装置。
【請求項７】
前記所定の警告とは前記記憶媒体のフォーマットが不可能であるという音声警告であることを特徴とする請求項１、２および５のいずれかに記載の情報処理装置。
【請求項８】
有限回数データ書き換えが可能な記憶媒体を外部から装着可能な装着部と、
前記記憶媒体に対して信号の読み出し書き込みを制御する制御手段と、
前記制御手段が読み出した前記記憶媒体の情報に基づいてフォーマット回数に関する所定の情報表示をする情報表示手段とを備えたことを特徴とする情報処理装置。
【請求項９】
有限回数データ書き換えが可能な記憶媒体と、
前記記憶媒体に対して信号の読み出し書き込みを制御する制御手段と、
前記制御手段が読み出した前記記憶媒体の情報に基づいてフォーマット回数に関する所定の情報表示をする情報表示手段とを備えたことを特徴とする情報処理装置。
【請求項１０】
前記制御手段は前記記憶媒体に対して行われたフォーマット回数を検出し、これに基づいて前記情報表示手段は所定の情報表示をすることを特徴とする請求項８または９に記載の情報処理装置。
【請求項１１】
前記情報表示とは前記フォーマット回数に関連した回数表示であることを特徴とする請求項８、９および１０のいずれかに記載の情報処理装置。
【請求項１２】
前記情報表示とは前記フォーマット回数に関連して長さが増減するバー表示であることを特徴とする請求項８、９および１０のいずれかに記載の情報処理装置。
【請求項１３】
有限回数データ書き換えが可能な記憶媒体を外部から装着可能な装着部と、
前記記憶媒体に対して信号の読み出し書き込みを制御する制御手段と、
前記制御手段が読み出した前記記憶媒体のフォーマット回数情報に基づいて前記記憶媒体へのフォーマットを禁止するフォーマット禁止手段とを備えたことを特徴とする情報処理装置。
【請求項１４】
有限回数データ書き換えが可能な記憶媒体と、
前記記憶媒体に対して信号の読み出し書き込みを制御する制御手段と、
前記制御手段が読み出した前記記憶媒体のフォーマット回数に関する情報に基づいて前記記憶媒体へのフォーマットを禁止するフォーマット禁止手段とを備えたことを特徴とする情報処理装置。
【請求項１５】
前記制御手段は前記記憶媒体に対して行われたフォーマット回数を検出し、これに基づいて前記フォーマット禁止手段は前記記憶媒体へのフォーマットを禁止することを特徴とする請求項１３または１４に記載の情報処理装置。
【請求項１６】
有限回数データ書き換えが可能な記憶媒体を外部から装着可能な装着部と、
前記記憶媒体に対して信号の読み出し書き込みを制御する制御手段と、
前記制御手段が読み出した前記記憶媒体のフォーマット回数情報に基づいて前記情報処理装置へのフォーマット指示の受付を禁止するフォーマット指示禁止手段とを備えたことを特徴とする情報処理装置。
【請求項１７】
有限回数データ書き換えが可能な記憶媒体と、
前記記憶媒体に対して信号の読み出し書き込みを制御する制御手段と、
前記制御手段が読み出した前記記憶媒体のフォーマット回数情報に基づいて前記情報処理装置へのフォーマット指示の受付を禁止するフォーマット指示禁止手段とを備えたことを特徴とする情報処理装置。
【請求項１８】
前記制御手段は前記記憶媒体に対して行われたフォーマット回数を検出し、これに基づいて前記フォーマット指示禁止手段は前記記憶媒体へのフォーマット指示を禁止することを特徴とする請求項１６または１７に記載の情報処理装置。
【請求項１９】
前記記憶媒体はデータファイル記録エリアと、前記フォーマットの回数情報を記録する第１のエリアを含む情報記録エリアとを備えたことを特徴とする請求項１、２、８、９、１３、１４、１６および１７のいずれかに記載の情報処理装置。
【請求項２０】
前記フォーマットとは前記データファイル記録エリアと前記情報記録エリアのうちで少なくとも前記データファイル記録エリアの全てのデータファイルを同時に消去することを特徴とする請求項１９に記載の情報処理装置。
【請求項２１】
前記フォーマットの回数情報とは前記記憶媒体に対してこれまでに行われたフォーマットの回数であることを特徴とする請求項１９に記載の情報処理装置。
【請求項２２】
前記フォーマットの回数情報とは前記記憶媒体に対してフォーマット可能な残りの回数であることを特徴とする請求項１９に記載の情報処理装置。
【請求項２３】
前記制御手段は前記フォーマット終了後前記第１のエリアに新たなフォーマットの回数情報を書き込むことを特徴とする請求項１９に記載の情報処理装置。
【請求項２４】
前記制御手段は更に、前記第１のエリアから読み出された前記フォーマットの回数情報が所定の回数に達したかどうかを判別する判別手段を備え、
前記判別手段が前記フォーマット回数情報が所定の回数に達していたと判別したならば前記制御手段は前記データファイル記録エリアの消去を行わないことを特徴とする請求項２３に記載の情報処理装置。
【請求項２５】
前記情報記録エリアは更に、前記データファイル記録エリアのデータファイルの格納状態を示した情報を記録した第２のエリアと前記第２のエリアの書き換え回数を記録した第３のエリアとを備えることを特徴とする請求項１９に記載の情報処理装置。
【請求項２６】
前記制御手段は前記データファイル記録エリアへの一つのデータファイルの書き込みが終了する毎に前記データファイル記録エリアの新たなデータ格納状態を示した情報を前記第２のエリアに書き込み、新たな書き換え回数情報を前記第３のエリアに書き込むことを特徴とする請求項２５に記載の情報処理装置。
【請求項２７】
前記制御手段は前記データファイル記録エリアに記録されている一つ又は複数のデータファイルを削除する毎に前記データファイル記録エリアのなかから前記一つ又は複数のデータファイルを除いた新たな格納状態を示した情報を前記第２のエリアに書き込み、新たな書き換え回数情報を前記第３のエリアに書き込むことを特徴とする請求項２５に記載の情報処理装置。
【請求項２８】
前記書き換え回数情報とはこれまでに前記第３のエリアに対して行われた書き換え回数であることを特徴とする請求項２６または２７に記載の情報処理装置。
【請求項２９】
前記書き換え回数情報とは前記第３のエリアに対する書き換え可能な残り回数であることを特徴とする請求項２６または２７に記載の情報処理装置。
【請求項３０】
前記制御手段は更に、前記第３のエリアの書き換え回数情報が所定の回数に達したかどうかを判別する判別手段を備え、
前記制御手段は前記判別手段が前記書き換え回数情報が所定の回数に達していたと判別したならば前記書き換え回数情報を前記第３のエリアに代わって前記情報記録エリア内の新たな第４のエリアに記録することを特長とする請求項２５に記載の情報処理装置。
【請求項３１】
前記制御手段は前記第４のエリアに前記書き換え回数情報を所定の値にセットした値を最初に記録することを特長とする請求項３０に記載の情報処理装置。
【請求項３２】
前記制御手段は更に、前記第３のエリアの書き換え回数が所定の回数に達したかどうかを判別する判別手段を備え、
前記制御手段は前記判別手段が前記書き換え回数情報が所定の回数に達していたと判別したならば前記データファイル記録エリアのデータ格納状態を示した情報を前記第２のエリアに代わって前記情報記録エリア内の新たな第５のエリアに書き込むことを特長とする請求項２５に記載の情報処理装置。
【請求項３３】
前記情報記録エリアは更に、前記記憶媒体に関連した情報を記録するための第６のエリアを備えることを特長とする請求項２４、３０および３２のいずれかに記載の情報処理装置。
【請求項３４】
前記制御手段は前記第６のエリアに記録されている情報に基づいて前記所定回数を決定することを特長とする請求項３３に記載の情報処理装置。
【請求項３５】
前記記憶媒体に関連した情報とは前記記憶媒体の種類を識別する情報であることを特長とする請求項３３に記載の情報処理装置。
【請求項３６】
前記記憶媒体に関連した情報とは前記記憶媒体の最大書き込み可能回数であることを特長とする請求項３３に記載の情報処理装置。
【請求項３７】
前記記憶媒体は半導体記憶媒体から構成されることを特徴とする請求項１、２、８、９、１３、１４、１６および１７のいずれかに記載の情報処理装置。
【請求項３８】
前記記憶媒体は光記憶媒体から構成されることを特徴とする請求項１、８、１３および１６のいずれかに記載の情報処理装置。
【請求項３９】
前記情報処理装置はカメラであることを特徴とする請求項１から３８のいずれかに記載の情報処理装置。
【請求項４０】
有限回数データの書き換えが可能な記憶手段から構成されるデータファイル記録エリアと、
フォーマットの回数情報を記録する第１のエリアを含む情報記録エリアとを備えたことを特徴とするデータ記憶媒体。
【手続補正２】
【補正対象書類名】明細書
【補正対象項目名】００２１
【補正方法】変更
【補正の内容】
【００２１】
請求項２５の発明は、前記情報記録エリアは更に、前記データファイル記録エリアのデータファイルの格納状態を示した情報を記録した第２のエリア（発明の実施の形態では第４情報記録エリアに相当。他のエリアについても以下同様に記述する。）と前記第２のエリアの書き換え回数を記録した第３のエリア（第３情報記録エリア）とを含む情報記録エリアとを備えることを特徴としていて、この第２のエリアにはいわゆるＦＡＴ（File Allocation Table:ファイルの格納情報を記録したテーブル）情報が書き込まれ、そして第３のエリアにはＦＡＴエリアの書き換え回数が書き込まれる。そして請求項２６の発明で、前記データファイル記録エリアへの一つのデータファイルの書き込みが終了する毎に新たなＦＡＴ情報を前記第２のエリアに書き込み、新たな書き換え回数情報を前記第３のエリアに書き込んでいる。
【手続補正３】
【補正対象書類名】明細書
【補正対象項目名】００２５
【補正方法】変更
【補正の内容】
【００２５】
請求項４０の発明は、有限回数データの書き換えが可能な記憶手段から構成されるデータファイル記録エリアと、フォーマットの回数情報を記録する第１のエリア（第１情報記録エリア）を含む情報記録エリアとを備えたデータ記憶媒体であることを特徴としている。
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】